【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
記録媒体の第１面及び前記第１面と反対の面である第２面に対して印刷を実行可能な印刷部と、
前記記録媒体を前記印刷部に対して供給可能な第１供給部と、前記記録媒体を前記印刷部に対して供給可能であり、前記第１供給部と異なる第２供給部を含む複数の供給部と、
を有する印刷装置であって、
前記第１供給部から供給される前記記録媒体の前記第１面に対して、前記印刷部によって印刷を実行する第１印刷手段と、
前記第２供給部に取り付けられた巻き取り部材を第１の方向に回転させることで、前記第１供給部から供給され、前記印刷部によって前記第１面に印刷が行われた前記記録媒体を、前記巻き取り部材に巻き取る巻き取り手段と、
前記巻き取り部材に巻き取られた前記記録媒体が前記印刷部に対して供給される際に通過する経路の開口部に、前記巻き取り部材に巻き取られた前記記録媒体の端が、前記巻き取り部材を前記第１の方向と反対の第２の方向に回転させた場合に導かれるための特定の場所に、前記端が位置するように制御する制御手段と、
前記特定の場所に前記端が位置するように制御された後に、前記巻き取り部材を前記第２の方向に回転させることで、前記巻き取り部材に巻き取られた前記記録媒体を前記開口部を介して前記印刷部に供給する供給手段と、
前記巻き取り部材に巻き取られた後に前記第２供給部から前記印刷部に供給された前記記録媒体の前記第２面に対して、前記印刷部によって印刷を実行する第２印刷手段と、を有し、
前記第２供給部は、前記第１面に印刷が行われた前記記録媒体を巻き取り部材に巻き取った場合、前記巻き取った前記記録媒体を前記印刷部に対して供給し、予め巻き取られている前記記録媒体が前記第２供給部に対して取り付けられた場合、前記取り付けられた前記記録媒体を前記印刷部に対して供給することを特徴とする印刷装置。
【請求項２】
前記特定の場所は、前記巻き取り部材に前記記録媒体が巻き取られることで形成される前記記録媒体のロールの外周面と前記開口部の間の場所であることを特徴とする請求項１に記載の印刷装置。
【請求項３】
前記巻き取り部材に前記記録媒体が巻き取られることで形成される前記記録媒体のロールの外周面から剥離した前記記録媒体の先端を検知する検知部を更に有し、
前記先端が前記検知部によって検知された場合に、前記特定の場所に、前記先端が位置するように制御されることを特徴とする請求項１又は２に記載の印刷装置。
【請求項４】
前記端が前記検知部によって検知された場合に、所定量、前記巻き取り部材が回転させられることで、前記特定の場所に、前記先端が位置するように制御されることを特徴とする請求項３に記載の印刷装置。
【請求項５】
前記検知部は、前記ロールと前記開口部との間に設けられることを特徴とする請求項３又は４に記載の印刷装置。
【請求項６】
前記第１供給部から供給され、前記印刷部によって前記第１面に印刷が行われた前記記録媒体の先端が前記巻き取り部材に固定された状態で前記第１の方向に前記巻き取り部材が回転することで、前記記録媒体が前記巻き取り部材に巻き取られ、
前記先端が前記検知部によって検知された場合に、前記第２の方向に前記巻き取り部材が回転することで、前記巻き取り部材に巻き取られた前記記録媒体が前記開口部を介して前記印刷部に供給されることを特徴とする請求項３乃至５のいずれか１項に記載の印刷装置。
【請求項７】
前記巻き取り部材に前記記録媒体が巻き取られることで形成される前記記録媒体のロールの外周面には、前記ロールの回転に伴って回転する従動コロが当接することを特徴とする請求項１乃至６のいずれか１項に記載の印刷装置。
【請求項８】
前記第１供給部から供給され、前記印刷部によって前記第１面に印刷が行われた前記記録媒体は、前記巻き取り部材に前記記録媒体の前記第１面が接するようにして、前記巻き取り部材に巻き取られることを特徴とする請求項１乃至７のいずれか１項に記載の印刷装置。
【請求項９】
前記印刷装置は、前記印刷部によって前記第１面に印刷が行われた前記記録媒体を前記巻き取り部材に巻き取った後、前記巻き取り部材に巻き取られた前記記録媒体の前記第２面に印刷を行わない第１の状態及び、前記記録媒体の前記第１面及び前記第２面に印刷を行う第２の状態を含む複数の状態のうちいずれかで動作可能であることを特徴とする請求項１乃至８のいずれか１項に記載の印刷装置。
【請求項１０】
前記印刷装置が前記第１の状態である場合、前記ロールから引き出された前記記録媒体のカール癖を低減するためのデカール処理を実行せず、前記印刷装置が前記第２の状態である場合、前記デカール処理を実行するデカール手段をさらに有することを特徴とする請求項９に記載の印刷装置。
【請求項１１】
前記複数の状態は、前記印刷部によって前記記録媒体の前記第１面に印刷を行った後、前記第１面に印刷が行われた前記記録媒体を前記巻き取り部材に巻き取らない第３の状態をさらに含むことを特徴とする請求項９又は１０に記載の印刷装置。
【請求項１２】
前記第１供給部にセットされたロール状の前記記録媒体を前記第２の方向に回転させた場合に、前記第１供給部にセットされた前記記録媒体が前記印刷部に対して供給される際に通過する経路の経路開口部に、前記第１供給部にセットされた前記記録媒体の端が導かれるための所定の場所に、前記端が位置するように制御する記録媒体制御手段と、
前記制御が実行された後に、前記第１供給部にセットされたロール状の前記記録媒体を前記第２の方向に回転させることで、前記第１供給部にセットされたロール状の前記記録媒体を前記印刷部に供給する記録媒体供給手段と、
をさらに有することを特徴とする請求項１乃至１１のいずれか１項に記載の印刷装置。
【請求項１３】
前記所定の場所は、前記第１供給部にセットされた前記記録媒体が巻き取られることで形成される前記記録媒体のロールの外周面と前記経路開口部の間の場所であることを特徴とする請求項１２に記載の印刷装置。
【請求項１４】
前記第１供給部にセットされた前記記録媒体のロールの外周面から剥離した、前記記録媒体の先端を検知する先端検知部を更に有し、
前記先端が前記先端検知部によって検知された場合に、前記所定の場所に、前記先端が位置するように制御されることを特徴とする請求項１２又は１３に記載の印刷装置。
【請求項１５】
前記第１供給部にセットされた前記記録媒体のロールの外周面には、前記ロールの回転に伴って回転する従動コロが当接することを特徴とする請求項１２乃至１４のいずれか１項に記載の印刷装置。
【請求項１６】
前記第１供給部から供給される前記記録媒体の前記第１面が前記巻き取り部材に接するように前記記録媒体を前記巻き取り部材に巻き取るための所定の固定方法で前記記録媒体の先端が前記巻き取り部材に固定されている場合、前記巻き取り部材に前記記録媒体を巻き取り、前記所定の固定方法で前記記録媒体の先端が前記巻き取り部材に固定されていない場合、前記巻き取り部材に前記記録媒体を巻き取らないように制御する制御手段を更に有することを特徴とする請求項１乃至１５のいずれか１項に記載の印刷装置。
【請求項１７】
前記第１供給部から供給される前記記録媒体の前記第１面が前記巻き取り部材に接するように前記記録媒体を前記巻き取り部材に巻き取るための所定の固定方法で前記記録媒体の先端が前記巻き取り部材に固定されていない場合、前記所定の固定方法で前記記録媒体の先端が前記巻き取り部材に固定されていないことを通知する通知手段を更に有することを特徴とする請求項１乃至１６のいずれか１項に記載の印刷装置。
【請求項１８】
前記第１供給部から供給される前記記録媒体の先端と前記第１供給部から供給される前記記録媒体の前記第１面における画像が形成される領域の先端との間に少なくとも所定の長さの余白が生じるように、前記印刷部によって前記第１面に画像が形成される前に、前記第１供給部から供給される前記記録媒体の搬送を行う搬送手段を更に有し、
前記搬送が行われ、且つ前記第１供給部から供給される前記記録媒体の先端が紙管に固定された後、前記記録媒体が紙管に巻き取られ、
前記巻き取り部材に巻き取られた前記記録媒体を前記印刷部に供給するための搬送経路を介して、前記巻き取り部材に巻き取られた前記記録媒体が前記印刷部に供給され、
前記所定の長さは、前記搬送経路における、前記巻き取り部材に対応する位置から前記印刷部に対応する位置までの長さであることを特徴とする請求項１乃至１７のいずれか１項に記載の印刷装置。
【請求項１９】
前記第１供給部は、前記第１面に印刷が行われていない前記記録媒体が取り付けられている場合、前記記録媒体を前記印刷部に対して供給可能であり、前記記録媒体が取り付けられていない場合、前記第１面に印刷が行われた前記記録媒体を前記第１供給部に取り付けられた巻き取り部材に巻き取り可能であることを特徴とする請求項１乃至１８のいずれか１項に記載の印刷装置。
【請求項２０】
前記第２供給部から供給される前記記録媒体の前記第１面に対して、前記印刷部によって印刷を実行する第３印刷手段と、を更に有することを特徴とする請求項１乃至１９のいずれか１項に記載の印刷装置。
【請求項２１】
前記印刷部は、インクを前記記録媒体上に吐出することで、印刷を実行することを特徴とする請求項１に記載の印刷装置。請求項１乃至２０のいずれか１項に記載の印刷装置。
【請求項２２】
記録媒体の第１面及び前記第１面と反対の面である第２面に対して印刷を実行可能な印刷部と、
前記記録媒体を前記印刷部に対して供給可能な第１供給部と、前記記録媒体を前記印刷部に対して供給可能であり、前記第１供給部と異なる第２供給部を含む複数の供給部と、
を有する印刷装置の制御方法であって、
前記第１供給部から供給される前記記録媒体の前記第１面に対して、前記印刷部によって印刷を実行する第１印刷ステップと、
前記第２供給部に取り付けられた巻き取り部材を第１の方向に回転させることで、前記第１供給部から供給され、前記印刷部によって前記第１面に印刷が行われた前記記録媒体を、前記巻き取り部材に巻き取る巻き取りステップと、
前記巻き取り部材に巻き取られた前記記録媒体が前記印刷部に対して供給される際に通過する経路の開口部に、前記巻き取り部材に巻き取られた前記記録媒体の端が、前記巻き取り部材を前記第１の方向と反対の第２の方向に回転させた場合に導かれるための特定の場所に、前記端が位置するように制御する制御ステップと、
前記特定の場所に前記端が位置するように制御された後に、前記巻き取り部材を前記第２の方向に回転させることで、前記巻き取り部材に巻き取られた前記記録媒体を前記開口部を介して前記印刷部に供給する供給ステップと、
前記巻き取り部材に巻き取られた後に前記第２供給部から前記印刷部に供給された前記記録媒体の前記第２面に対して、前記印刷部によって印刷を実行する第２印刷ステップと、を有し、
前記第２供給部は、前記第１面に印刷が行われた前記記録媒体を巻き取り部材に巻き取った場合、前記巻き取った前記記録媒体を前記印刷部に対して供給し、予め巻き取られている前記記録媒体が前記第２供給部に対して取り付けられた場合、前記取り付けられた前記記録媒体を前記印刷部に対して供給することを特徴とする制御方法。
【請求項２３】
記録媒体の第１面及び前記第１面と反対の面である第２面に対して印刷を実行可能な印刷部と、
前記記録媒体を前記印刷部に対して供給可能な第１供給部と、前記記録媒体を前記印刷部に対して供給可能であり、前記第１供給部と異なる第２供給部を含む複数の供給部と、
を有する印刷装置のコンピュータに、
前記第１供給部から供給される前記記録媒体の前記第１面に対して、前記印刷部によって印刷を実行する第１印刷ステップと、
前記第２供給部に取り付けられた巻き取り部材を第１の方向に回転させることで、前記第１供給部から供給され、前記印刷部によって前記第１面に印刷が行われた前記記録媒体を、前記巻き取り部材に巻き取る巻き取りステップと、
前記巻き取り部材に巻き取られた前記記録媒体が前記印刷部に対して供給される際に通過する経路の開口部に、前記巻き取り部材に巻き取られた前記記録媒体の端が、前記巻き取り部材を前記第１の方向と反対の第２の方向に回転させた場合に導かれるための特定の場所に、前記端が位置するように制御する制御ステップと、
前記特定の場所に前記端が位置するように制御された後に、前記巻き取り部材を前記第２の方向に回転させることで、前記巻き取り部材に巻き取られた前記記録媒体を前記開口部を介して前記印刷部に供給する供給ステップと、
前記巻き取り部材に巻き取られた後に前記第２供給部から前記印刷部に供給された前記記録媒体の前記第２面に対して、前記印刷部によって印刷を実行する第２印刷ステップと、を実行させ、
前記第２供給部は、前記第１面に印刷が行われた前記記録媒体を巻き取り部材に巻き取った場合、前記巻き取った前記記録媒体を前記印刷部に対して供給し、予め巻き取られている前記記録媒体が前記第２供給部に対して取り付けられた場合、前記取り付けられた前記記録媒体を前記印刷部に対して供給することを特徴とするプログラム。
【手続補正２】
【補正対象書類名】明細書
【補正対象項目名】０００６
【補正方法】変更
【補正の内容】
【０００６】
上述のような課題を解決するための本発明の印刷装置は、
記録媒体の第１面及び前記第１面と反対の面である第２面に対して印刷を実行可能な印刷部と、
前記記録媒体を前記印刷部に対して供給可能な第１供給部と、前記記録媒体を前記印刷部に対して供給可能であり、前記第１供給部と異なる第２供給部を含む複数の供給部と、
を有する印刷装置であって、
前記第１供給部から供給される前記記録媒体の前記第１面に対して、前記印刷部によって印刷を実行する第１印刷手段と、
前記第２供給部に取り付けられた巻き取り部材を第１の方向に回転させることで、前記第１供給部から供給され、前記印刷部によって前記第１面に印刷が行われた前記記録媒体を、前記巻き取り部材に巻き取る巻き取り手段と、
前記巻き取り部材に巻き取られた前記記録媒体が前記印刷部に対して供給される際に通過する経路の開口部に、前記巻き取り部材に巻き取られた前記記録媒体の端が、前記巻き取り部材を前記第１の方向と反対の第２の方向に回転させた場合に導かれるための特定の場所に、前記端が位置するように制御する制御手段と、
前記特定の場所に前記端が位置するように制御された後に、前記巻き取り部材を前記第２の方向に回転させることで、前記巻き取り部材に巻き取られた前記記録媒体を前記開口部を介して前記印刷部に供給する供給手段と、
前記巻き取り部材に巻き取られた後に前記第２供給部から前記印刷部に供給された前記記録媒体の前記第２面に対して、前記印刷部によって印刷を実行する第２印刷手段と、を有し、
前記第２供給部は、前記第１面に印刷が行われた前記記録媒体を巻き取り部材に巻き取った場合、前記巻き取った前記記録媒体を前記印刷部に対して供給し、予め巻き取られている前記記録媒体が前記第２供給部に対して取り付けられた場合、前記取り付けられた前記記録媒体を前記印刷部に対して供給することを特徴とする。
【手続補正３】
【補正対象書類名】明細書
【補正対象項目名】００４８
【補正方法】変更
【補正の内容】
【００４８】
ＣＰＵ２０１は、Ｓ６０６では、シートセンサ６によって得られる出力値がレベルＨからレベルＬに変化した後、スプール部材２を所定の回転角度Ａ以上、Ｃ２方向へ回転させてもシートセンサ６によって得られる出力値がレベルＬで維持されたか否かを判定する。所定の回転角度Ａはスプール部材２の中心を軸としたときにシートセンサ６と従動回転体９がなす角に相当する角度θ´を元に設定される角度であり、本実施形態では所定の回転角度Ａ＝θ´／２として設定される。なお、本判定は例えば、シートセンサ６によって得られる出力値がレベルＨからレベルＬに変化した後、スプール部材２を所定の時間以上、Ｃ２方向へ回転させてもシートセンサ６によって得られる出力値がレベルＬで維持されたか否かを判定する処理でも良い。ＣＰＵ２０１は、ＹＥＳ判定の場合は、Ｓ６０７に進み、ＮＯ判定の場合は、Ｓ６０４に進む。なお、ＮＯ判定がなされるケースとは例えば、ロールシートＲから分離されているシート１が波打った形状となっているケースである。このようなケースでは、波打った形状となっているシート１の凸部分で、シートセンサ６によって得られる出力値がレベルＨからレベルＬに変化する。しかしその後、シート１の凹部分で、シートセンサ６によって得られる出力値が再びレベルＬからレベルＨに変化する。すなわち、シートセンサ６によって得られる出力値がレベルＨからレベルＬに変化したことが必ずしもシート１の先端がシートセンサ６の上を通過したことに対応しないため、本判定を実行することによって誤検知を抑制する。
【手続補正４】
【補正対象書類名】明細書
【補正対象項目名】００５７
【補正方法】変更
【補正の内容】
【００５７】
図９は、印刷装置１００が内巻き方法によって紙管２７にシート１を巻き取っている状態を示す図である。内巻き方法とは、シート１における画像が印刷された面が内側になるように、シート１を巻き取る方法をいう。言い換えれば内巻き方法とは、シート１における画像が印刷された面が紙管２７に接するように、シート１を巻き取る方法をいう。また、図１０は、印刷装置１００が外巻き方法によってシート１を巻き取っている状態を示す図である。外巻き方法とは、シート１における画像が印刷された面が外側になるように、シート１を巻き取る方法をいう。言い換えれば外巻き方法とは、シート１における画像が印刷されていない面が紙管２７に接するように、シート１を巻き取る方法をいう。
【手続補正５】
【補正対象書類名】明細書
【補正対象項目名】００７９
【補正方法】変更
【補正の内容】
【００７９】
ＣＰＵ２０１は、Ｓ１３０３にて、上段のシート供給装置２００に対するロールシートＲの取り付けをユーザに指示する。この指示の詳細は、Ｓ１２０３の処理と同様である。その後、ＣＰＵ２０１は、再びＳ１３０２に進む。
【手続補正６】
【補正対象書類名】明細書
【補正対象項目名】００８０
【補正方法】変更
【補正の内容】
【００８０】
ＣＰＵ２０１は、Ｓ１３０４にて、下段のシート供給装置２００に備わっているロールセンサ３２によって、スプール部材２の取り付け位置にスプール部材２が取り付けられていることが検知されているか否かを判定する。ＣＰＵ２０１は、ＹＥＳ判定の場合は、Ｓ１３０６に進み、ＮＯ判定の場合は、Ｓ１３０５に進む。なおＣＰＵ２０１は、ＹＥＳ判定の場合はさらに、下段のシート供給装置２００にセットされているスプール部材２にロールシートＲが取り付けられているか否かを判定してもいい。そしてＣＰＵ２０１は、ＮＯ判定の場合は、Ｓ１３０６に進む。またＣＰＵ２０１は、ＹＥＳ判定の場合は、下段のシート供給装置２００にセットされているスプール部材２からロールシートＲを取り外すことや、スプール部材２に対する紙管２７の取り付けをユーザに指示するための画面を操作パネル２８に表示しても良い。なお、下段のシート供給装置２００にセットされているスプール部材２にロールシートＲが取り付けられているか否かの判定は、例えば、ロールセンサ３２やシートセンサ６による出力値の大きさを検知することによって行われる。そしてＣＰＵ２０１は、指示に基づいた操作が行われたことを示す入力が行われたら、Ｓ１３０６に進む。
【手続補正７】
【補正対象書類名】明細書
【補正対象項目名】０１３０
【補正方法】変更
【補正の内容】
【０１３０】
続いてＣＰＵ２０１は、Ｓ２１０２にて、搬送ローラ１４によるシート１の搬送を停止した状態で、下段のシート供給装置２００にセットされているスプール部材２を図中Ｔ方向に回転させるようにロール駆動モータ３３を駆動させる。この時の印刷装置１００の状態を図２０（ｃ）に示す。このとき、搬送ローラ１４によるシート１の搬送の搬送が停止されているためスプール部材２は実際にはほぼ回転することはない。しかし、図中Ｔ方向に回転させるための力がスプール部材に加わっているため、スプール部材２に巻かれているシート１に所定のテンションがかかる。これにより、シート１の矢印Ａ方向のカール癖は、下段のシート供給装置２００に形成されているロールのカールにならって矯正されるため、シート１の矢印Ａ方向のカール癖は低減する。
【手続補正８】
【補正対象書類名】明細書
【補正対象項目名】０１３５
【補正方法】変更
【補正の内容】
【０１３５】
なお、片面印刷モードや片面巻き取り印刷モードでの印刷では、両面印刷のためにシート１が供給パスに供給されることがないため、デカール処理が実行される必要はない。そのため、本実施形態では、両面印刷モードでの印刷時のみ、デカール処理が実行される形態とする。このような形態とすることで、片面印刷モードや片面巻き取り印刷モードでの印刷ではデカール処理を省略して印刷をすばやく完了させることができる。